(57)【要約】      （修正有）【解決手段】従来の自動車用エアコンにあるＤＥＦ、ＦＡＣＥ、ＦＯＯＴの吹出口に加えてフロントガラスの外側に吹出口を設ける。フロントガラスの外側の吹出口から温風を出し、フロントガラスの内外の温度差を無くしてくもりや霜を消す。ワイパーが動作中は温風をフロントガラスの外側の吹出口から出し、拭き残った水分を蒸発させ、フロントガラスの下部の雪を融かす。またフロントガラスの外側の吹出口の送風で雨粒を吹き飛ばす。【効果】フロントガラスに付着したくもりや霜を消すために、ＤＥＦの吹出口の風量を少なくでき、風が顔などにあたらず、車内の温度が低くならないために、寒さを感じず快適である。また、雨をワイパーで拭き取った後に、拭き残った水分や雨粒でフロントガラスの外側に設けた吹出口から出る温風で乾かし吹き飛ばすため、フロントガラスの視界が良くなる。またフロントガラス下部の雪を融かすことができる。【選択図】図１
0003136019.tif 000002
【実用新案登録請求の範囲】
【請求項１】
従来のカーエアコンにあるＤＥＦ、ＦＡＣＥ、ＦＯＯＴの吹出口に、フロントガラスの外側に吹出口を設け、ＤＥＦ、ＦＡＣＥ、ＦＯＯＴの吹出口とフロントガラスを温めるフロントガラス外側の吹出口の風量と温度を、温度センサ、湿度センサ、ワイパーの動作条件で制御する手段を持つカーエアコン
【請求項２】
請求項１記載のカーエアコンの手段に、フロントガラスを温める効果を高めるために防水ヒータをフロントガラスの外側に吹出口に追加した請求項１記載のカーエアコン
【請求項３】
請求項１記載のカーエアコンの手段に、フロントガラスの外側の吹出口に風速を速くするモータ式の送風機を追加した請求項１記載のカーエアコン
【考案の詳細な説明】
【技術分野】
【０００１】本発明はフロントガラスのくもりや霜を消すためと、雨をワイパーで拭き取った後にフロントガラスを乾燥させ視界を高めるためと、ワイパーでかき落されたフロントガラス下部の雪を融かすためと、フロントガラスの雨粒を吹き飛ばすためのカーエアコンに関する。
【背景技術】
【０００２】従来のエアコンにはフロントガラスの内側に吹きかける吹出口（ＤＥＦ）、顔に直接吹きかける吹出口（ＦＡＣＥ）、足元に吹きかける吹出口（ＦＯＯＴ）がある。
【考案の開示】
【考案が解決しようとする課題】
【０００３】従来のカーエアコンでは、フロントガラスに付着したくもりをＤＥＦの吹出口の冷気でフロントガラスの内側から消すために、冷気が顔などにあたってしまい、不快感を与えてしまう。【０００４】従来のカーエアコンでは、フロントガラスに付着した霜をＤＥＦの吹出口の温風でフロントガラスの内側から消すために、フロントガラスで冷やされた冷気が顔などにあたってしまい、不快感を与えてしまう。【０００５】梅雨時など比較的外気の温度が低い時に、くもりの発生を防ぐには車内の温度を外気の温度より低くする手段があるが、車内の温度が低いために、寒さを感じてしまう。【０００６】従来のカーエアコンでは、フロントガラス内側のくもりを消すために冷気をＤＥＦの吹出口から出し続けフロントガラスが冷えすぎたために、フロントガラスの外側にくもりが発生することがある。【０００７】従来のカーエアコンにはフロントガラス外側の吹出口がないため、フロントガラスに水分を蒸発させる手段がなく、雨をワイパーで拭き取った後に、拭き残った水分でフロントガラスの視界を悪くしてしまう。【０００８】従来のカーエアコンにはフロントガラス外側の吹出口がないため、フロントガラス下部の雪を融かす手段がなく、ワイパーでかき落された雪がフロントガラス下部に残ってしまう。【０００９】従来のカーエアコンにはフロントガラス外側の吹出口がないため、フロントガラスの雨粒を吹き飛ばす手段がなく、ワイパーの使用によりワイパーの左右の動きが運転者前方の視界を邪魔してしまう。
【課題を解決するための手段】
【００１０】従来の自動車用エアコンにあるＤＥＦ、ＦＡＣＥ、ＦＯＯＴの吹出口に加えてフロントガラスの外側に吹出口を設ける。【００１１】車内の湿度が高く、車内より車外の温度が低い時には、フロントガラスの外側の吹出口から温風を出し、フロントガラスの内外の温度差を無くてくもりを消す。【００１２】フロントガラスの外側の温度が低く、霜が付きやすい時には、温風をフロントガラスの外側の吹出口から出し、霜を消す。【００１３】ワイパーが動作中は温風をフロントガラスの外側の吹出口から出し、拭き残った水分を蒸発させる。【００１４】くもりを消す効果を高めるために、フロントガラスの外側に設けた吹出口に、フロントガラスを温める防水ヒータを追加する。【００１５】フロントガラスの外側の吹出口に風速を速くするモータ式の送風機を設け、雨粒を温風で吹き飛ばす。【００１６】フロントガラスの外側にくもりの発生をなくすために、フロントガラスの内側の光センサでフロントガラスのくもりを検知し、くもりがなくなったら、フロントガラス外側の吹出口の送風を停止する。
【考案の効果】
【００１７】フロントガラスに付着したくもりや霜を消すために、ＤＥＦの吹出口の風量を少なくでき、風が顔などにあたらず快適である。【００１８】フロントガラスに付着したくもりや霜を消すために、車内の温度が低くならないため、寒さを感じず快適である。【００１９】フロントガラス内側のくもりを消すために、フロントガラスの外側に設けた吹出口から温風を出し、フロントガラスの内外の温度差を無くしてくもりを消すため、フロントガラスの外側のくもりも消すことができる。【００２０】雨をワイパーで拭き取った後に、拭き残った水分でフロントガラスの外側に設けた吹出口から出る温風で乾かすため、視界が良くなる。【００２１】ワイパーでかき落された雪がフロントガラス下部に残っても、フロントガラスの外側に設けた吹出口から出る温風で雪を融かすことができる。【００２２】フロントガラス外側の吹出口の温風で雨を吹き飛ばすため、降雨ではワイパーの動作頻度を少なくすることができる。
【考案を実地するための最良の形態】
【００２３】従来のカーエアコンに付いている吹出口のＤＥＦ、ＦＡＣＥ、ＦＯＯＴにフロントガラスの外側に向かって吹出口を追加する。また、吹出口切替ダンパーを設けて吹出口切り替え用サーボモータで送風の切り替えを行う。
【００２４】温度センサ及び、フロントガラスの光センサでフロントガラスのくもり、霜を検知し、フロントガラスの外側に設けた吹出口の温風をフロントに当てて、くもりや霜を消す。
【００２５】ワイパーの動作スイッチによりワイパーの間欠動作の時は、内部ヒータからの温風を更にフロントガラスの外側に設けた吹出口の温風をフロントに当てて、フロントガラスにワイパーで拭き取った後に、拭き残った水分を蒸発させる。
【００２６】ワイパーの動作時は、内部ヒータからの温風をフロントガラス外側の吹出口の送風機で加速し、フロントに当てて、雨粒を吹き飛ばし、ワイパーの動作頻度を少なくする。
【図面の簡単な説明】
【図１】本考案の構造図
【符号の説明】
１    空気を送り出すファンモータ
２    空気を暖める内部ヒータ
３    フロントガラスの内側の吹出口（ＤＥＦ）
４    顔に直接吹きかける吹出口（ＦＡＣＥ）
５    足元に吹きかける吹出口（ＦＯＯＴ）
６    吹出口フロントガラスの外側の吹出口、
７    吹出口切替ダンパー
８    フロントガラス
９    ダクトの排水口
１０  防水ヒータ
１１  送風機
【図１】
0003136019.tif 000003
【手続補正書】
【提出日】平成18年12月11日(2006.12.11)
【手続補正１】
【補正対象書類名】実用新案登録請求の範囲
【補正対象項目名】請求項１
【補正方法】変更
【補正の内容】
【請求項１】
カーエアコンにあるＤＥＦ、ＦＡＣＥ、ＦＯＯＴの吹出口とは別に更にフロントガラスの外側に吹出口を設け、ＤＥＦ、ＦＡＣＥ、ＦＯＯＴの吹出口とフロントガラスを温めるフロントガラス外側の吹出口の風量と温度を、温度センサ、湿度センサ、ワイパーの動作条件で制御する手段を持つカーエアコン